(57)【特許請求の範囲】
【請求項１】
左右に離間させて起立させた一対の縦フレームと、これら縦フレームの上端部間に架け渡した上フレームと、この上フレームより下方において前記縦フレーム間に架け渡した下フレームと、縦フレームと下フレームとの接合部よりも内方の箇所から前後に突出して自立性を与える脚ベースと、棚板部材と、共通オプション部材とを備え、
両縦フレームの外側面間寸法と略同一の最大幅寸法を有する、対向した一対の机の反使用端側に配置して前後から用いることのできるものであって、
前記縦フレームにパネルや棚板等のオプション部材を取り外し可能に取り付けるための取付部を設けるとともに、構造強度を向上させる目的等で縦フレーム間に架け渡す横架材を少なくとも前記机の天板より上方には設けないようにし、
前記上フレーム近傍の頂上部、上フレーム下面近傍に前記棚板部材を装着可能とし、
かつ、前記一対の縦フレームの内方、前記机の天板より上であって前記棚板部材よりも下の領域に横架材を設けていない共有領域を設定し、前記取付部を利用してこの共有領域に前記縦フレームの前後から共通して使用することのできる前記共通オプション部材を上下位置変更可能に配置できるように構成しており、
前記共通オプション部材が、前記共有領域において前記縦フレームの前後に跨って配置され縦フレームから前後両方向に延出する一枚の棚板であり、
前記脚ベースは、前記下フレームの側端面を押し当てるための内向き鉛直面である第１押し当て面と、前記第１押し当て面から水平方向に突出して前記下フレームにがたなく挿入される第１突出部と、前記縦フレームの下端面を押し当てるための上向き水平面である第２押し当て面と、前記第２押し当て面から鉛直方向に突出して前記縦フレームにがたなく挿入される第２突出部とが一体成形されているものであり、
前記縦フレームは、上下方向に伸び前記取付部が設けられる内フレーム要素と、上下に亘って延びる嵌合溝を有しこの嵌合溝に前記内フレーム要素を嵌め入れることで前記内フレーム要素に外側から抱く姿勢で固定される外フレーム要素とを要素として構成されるものである
ことを特徴とする家具。
【請求項２】
前記取付部が、前記縦フレームの前側に設定した前側取付部と後側に設定した後側取付部とから少なくともなるものであり、これら前側取付部及び後側取付部を利用してオプション部材を前記縦フレームの前側及び後側に対称的に取り付けられるように構成している請求項１記載の家具。
【請求項３】
前記取付部が、外取付部とこの外取付部より内側に形成した内取付部とから少なくともなるものであり、前記内取付部を利用して取り付けたオプション部材が、前記外取付部に干渉しない位置に配置されるようにしている請求項１又は２記載の家具。
【請求項４】
前記内取付部を、前記縦フレームの内側面に取り外し可能に取り付けられたブラケットに形成している請求項３記載の家具。
【請求項５】
前記ブラケットを縦フレームに対し上下に位置変更可能に取り付け得るように構成している請求項４記載の家具。
【請求項６】
前記内取付部を利用してオプション部材たるパネルを取り付け、前記外取付部を利用してオプション部材たる棚板を取り付けるようにしている請求項３、４又は５記載の家具。
【請求項７】
前記取付部が上下に複数、間欠的に並ぶフック孔であり、この取付部を利用して縦フレームに取り付けた前記オプション部材の上下位置を変更できるように構成している請求項１、２、３、４、５又は６記載の家具。
【請求項８】
前記横架材が、天板より下方にも設けられていない１、２、３、４、５、６又は７記載の家具。
【発明の詳細な説明】
【０００１】
【発明の属する技術分野】
本発明は、枠体を有し、特に自在なオフィスレイアウトを行う場合に好適な家具に関する。
【０００２】
【従来の技術】
従来、オフィス等に用いられる家具は、仕事等の効率化を図るべく、種々の工夫がなされてきている。
【０００３】
例えばデスクとしては、効率的に仕事が行えるよう、例えば袖（脇部分）に引出を一体に設けたり、補助天板や配線ダクトあるいは幕板等を取り付けられるようにしたものが知られている。
【０００４】
また、このようなデスクワークあるいはオフィスワークを補助するために、ローパーティションや配線ピット等、デスクとは別体をなしてオフィス空間を形成する家具も種々考えられている。
【０００５】
【発明が解決しようとする課題】
ところが、近時においては、仕事の多様化や情報の発達等に対応して、オフィスそのものに、空間の共有化や情報効率の向上を促進でき、しかもダイナミックかつ柔軟に変化できる機能が求められつつある。
【０００６】
かかる状況下においては、従来のように、デスクに棚板等種々の付属機能を付与したものや、パーティションや配線ピット等のように固定的な機能を有したものでは、上述したオフィスに求められる機能に対応できず、変化に対する即応性や柔軟性といった点において、大きなネックとなる懼れがある。
【０００７】
そこで本発明は、変化に対しての迅速な適応能力を有し、なおかつ空間の共有化等に寄与し得るオフィスを実現すべくなされたものであって、机には机本来の有する機能、すなわち天板の上でものを書いたり、天板の上に必要な書類を拡げるといった機能のみを付与すればよいようにし、机以外の機能を選択的に付与できてしかもそれ自身は固定的な機能を有さないという従来全くなかった家具を提供することを主たる目的としている。
【０００８】
【課題を解決するための手段】
すなわち、本発明に係る家具は、左右に離間させて起立させた一対の縦フレームと、これら縦フレームの上端部間に架け渡した上フレームと、これら縦フレームの下端部間に架け渡した下フレームとを備え、机の反使用端側に配置して用いることのできる自立性を有したものであって、前記縦フレームにパネルや棚板等のオプション部材を着脱可能に支持させるための取付部を設けるとともに、構造強度を向上させる目的等で上フレームと下フレームとの間であって縦フレーム間に架け渡す横架材を少なくとも前記机の天板より上方には設けないようにしたことを特徴とするものである。
【０００９】
ここで「構造強度を向上させる目的等で縦フレーム間に架け渡す横架材」とは、縦フレームに対し、ねじ止めしたり溶接したり接着したりして直接的に、あるいはブラケット等を介在させて間接的に、がたなく結合される横架材のことであり、このように縦フレームに剛結されるものでありさえすれば、配線ダクト機能やパネル取付機能等、構造強度向上以外の目的のために縦フレーム間に架け渡したものも含まれる。なお、この横架材には、上フレーム及び下フレームは含まれないのはもちろんである。
【００１０】
このようなものであれば、それ自身は単に枠体状をなすものであって、固定的な機能を有さず、種々のオプション部材を取り付けてはじめてその取り付けたオプション部材に応じた機能を発揮するので、オフィスレイアウトやそれに応じて生じる用途のダイナミックな変更等に無理なく柔軟に対応できる。また、机の天板より上方には、横架材が全く設けられていないので、その空間を自由に使用することができ、例えばこの家具の前後に机を対向配置して前後から使用するなど、オフィス空間の共有化を促進することが可能になる。
【００１１】
同様に、左右に離間させて起立させた一対の縦フレームと、これら縦フレームの上端部間に架け渡した上フレームと、この上フレームより下方において前記縦フレーム間に架け渡した下フレームとを備え、机の反使用端側に配置して用いることのできる自立性を有したものであって、前記縦フレームにパネルや棚板等のオプション部材を取り外し可能に取り付けるための取付部を設けるとともに、前記机の天板より上に汎用領域を設けて、構造強度を向上させる目的等で縦フレーム間に架け渡す横架材を前記汎用領域には設けないようにした家具であれば、種々のオプション部材を取り付けて様々な機能を発揮し得るものとなり、オフィス内の変化に迅速に適応可能である。かつ、前記汎用領域には横架材が全く設けられていないので、その空間を自由に使用することができ、オフィス空間の共有化を促進することも可能になる。
【００１２】
モジュール化を促進し、オフィス空間の無駄のない効率的な使用を可能とするには、机の幅寸法と同一又は略同一の幅寸法を有するものが好ましい。
【００１３】
かかる家具の前後両側からの使用に対して特に望ましい実施態様としては、前記取付部が、前記縦フレームの前側に設定した前側取付部と後側に設定した後側取付部とから少なくともなるものであり、これら前側取付部及び後側取付部を利用してオプション部材を前記縦フレームの前側及び後側に対称的に取り付けられるように構成しているものを挙げることができる。
【００１４】
オプション部材の取付自由度を高め、使い勝手をより向上させるには、前記取付部が、外取付部とこの外取付部より内側に形成した内取付部とから少なくともなるものであり、前記内取付部を利用して取り付けたオプション部材が、前記外取付部に干渉しない位置に配置されるようにしているものが望ましい。
【００１５】
さらに要すれば、前記取付部が、前記縦フレームの前側であって外側及び内側にそれぞれ設定した前側外取付部及び前側内取付部と、前記縦フレームの後側であって外側及び内側にそれぞれ設定した後側外取付部及び後側内取付部とから少なくともなるものであり、前記前側各取付部及び後側各取付部を利用してオプション部材を前記縦フレームの前側及び後側に対称的に取り付けられるようにするとともに、前記前側又は後側内取付部を利用して取り付けたオプション部材が前記前側又は後側外取付部に干渉しない位置に配置されるようにしているものが、オプション部材の取付自由度向上及び空間の共有化促進を同時に図る上で好ましい。
【００１６】
好適な実施態様としては、前記内取付部を、前記縦フレームの内側面に取り外し可能に取り付けられたブラケットに形成しているものを挙げることでき、またその場合には、前記ブラケットを縦フレームに対し上下に位置変更可能に取り付け得るように構成しているものがより好ましい。
【００１７】
このようなものであれば、内取付部を、ブラケットの着脱により選択的に設けることができるので、これらを使用しない場合にブラケットを外しておくことで、外観上よりすっきりしたものにできるうえ、製造も簡単化できるという効果を奏し得るからである。
【００１８】
具体的な実施態様としては、前記内取付部を利用してオプション部材たるパネルを取り付け、前記外取付部を利用してオプション部材たる棚板を取り付けるようにしているものを挙げることができる。ここで「棚板」とは、補助天板も含む概念である。
【００１９】
前述した取付部の具体的実施態様としては、この取付部が上下に複数、間欠的に並ぶフック孔を備えたものであり、この取付部を利用して縦フレームに取り付けた前記オプション部材の上下位置を変更可能に構成しているものを挙げることができる。
【００２０】
例えば一対の同形の机を、それらの反使用端側を対向させてこの家具の前後に配置した場合に好適な、共有化促進のための実施態様としては、各机の使用端から等距離又は略等距離離間した部位に、前記縦フレームの前後に跨る共有領域を設定しておき、この共有領域に前記縦フレームの前後から共通して使用することのできる共通オプション部材を配置できるようにしたものを挙げることができる。
【００２１】
より具体的な前記共通オプション部材としては、縦フレームの前後に跨って配置される一枚の補助天板を挙げることができる。
【００２２】
本発明の効果をより顕著ならしめるには、前記横架材が、天板より下方にも設けられていないものが好ましい。
【００２３】
【発明の実施の形態】
以下、本発明の一実施形態を、図面を参照して説明する。
【００２４】
本実施形態に係る家具たる枠構造体Ｗは、単体で用いることもできるし、例えばこの枠構造体Ｗと同一幅寸法を有する机Ｄの反使用端側に配置するなどして好適に用いることもできるもので、図１、図２に示すように、左右に離間させて起立させた一対の縦フレーム２と、これら縦フレーム２の上端部間に架け渡した上フレーム３と、これら縦フレーム２の下端部間に架け渡した下フレーム４と、前記上フレーム３及び縦フレーム２を連結する上連結部材５（図１、図２には図示しない）と、前記下フレーム４及び縦フレーム２を連結する下連結部材６とからなる枠構造体本体１と、この枠構造体本体１に自立性を与える脚ベースＢとを具備してなる。
【００２５】
まず、枠構造体本体１について説明する。
【００２６】
この枠構造体本体１は、前述したように外殻を形成するフレーム２、３、４及び連結材５、６のみを、構造部材の主体として用いているもので、端部を各縦フレーム２にがたなく固定されて構造強度を増大させるような横架材を一切架け渡していないものである。
【００２７】
各部を詳述すると、縦フレーム２は、図３等に示すように、上下方向に延びるスチール製の内フレーム要素２１と、この内フレーム要素２１に外側から抱く姿勢で固定されるアルミ押出成形材である外フレーム要素２２とから構成してある。しかして、前記内フレーム要素２１は、内方、すなわちもう一方の縦フレーム２側を向く対向面２１１ａを有した対向壁２１１と、この対向壁２１１の前後各縁部から外方へ延びる前壁２１２及び後壁２１３とを有する横断面視コ字形をなすものである。一方、外フレーム要素２２は、前後方向に長径方向を一致させた平面視小判形をなす中空部材であって、その前後寸法（長径寸法）を前記内フレーム要素２１の前後寸法よりも大きく設定したものである。そして、その内側面には、前記内フレーム要素２１の前後寸法と略等しい開口幅寸法を有し上下に亘って延びる嵌合溝２２１が開口させてある。しかして、この嵌合溝２２１の奥行き方向中央部には、該嵌合溝２２１の開口面よりも内フレーム要素２１側へ突出させた突条部２２２が形成してあり、前記嵌合溝２２１に内フレーム要素２１を嵌め入れて、前記突条部２２２を前記対向壁２１１の裏面に突き当てた状態で、それらをねじＢＢ１により上下複数箇所で固定するようにしている。なお、この固定状態では、内フレーム要素２１の略外半部が前記嵌合溝２２１内に嵌入し、略内半部は前記縦フレーム２の内側面からもう一方の縦フレーム２側に向かって突出した状態となる。
【００２８】
上フレーム３及び下フレーム４は、それぞれその前後寸法を前記内フレーム要素２１の前後寸法に等しく設定した角パイプ状をなすものである。
【００２９】
上連結部材５は、図３に示すように、上方に開口したチャネル状をなすもので、もう一方の縦フレーム２側に向かって水平に突出するように、内フレーム要素２１の上端部に溶接等により固定してある。そして前記上フレーム３を前後にがたなく外嵌させ得るように、その前後幅寸法を上フレーム３の内周前後幅寸法と略同一に設定してある。しかして前記上フレーム３を、その端面が内フレーム要素２１の対向面２１１ａに当接又は近接するまで外嵌させ、この上連結部材５の底壁５１と上フレーム３の底壁３１とを下方から２箇所でねじ止めすることにより、上フレーム３をこの上連結部材５に固定するようにしている。また、支柱６の上端部にはキャップ部材２４を設けて外観の向上を図っている。
【００３０】
下連結部材６は、図４に示すように、後述する脚ベースＢとともに射出一体成形してなるアルミダイカスト製の下方に開口する中空状のものであり、内方端部に下フレーム４の側端面を押し当てるための内向き鉛直面である第１押し当て面６ａを有するとともに、外方端部に縦フレーム２の下端面を押し当てるための上向き水平面である第２押し当て面６ｂを有してなる部材本体６１と、前記第１押し当て面６ａから水平方向に突出して前記下フレーム４にがたなく挿入される第１突出部６２と、前記第２押し当て面６ｂから鉛直方向に突出して前記縦フレーム２にがたなく挿入される第２突出部６３とを具備する。
【００３１】
しかして、下フレーム４の内部にはその長手方向に延びるねじ孔４Ｂ１が設けてあって、前記第１突出部６２を下フレーム４に挿入し、この下連結部材６の内部からその外壁を挿通させたねじを前記ねじ孔４Ｂ１にねじ込むことにより、この下フレーム４を引っ張り込んでその側端面を前記第１押し当て面６ａに押し当て、当該下連結部材６に強く接合するようにしている。また縦フレーム２も同様であり、前記第２突出部６３を縦フレーム２に挿入し、この下連結部材６の内部から外壁を挿通させたねじを縦フレーム２の外フレーム要素２２に設けたねじ孔２Ｂ１にねじ込むことにより、この縦フレーム２を引っ張り込んでその下端面を前記第２押し当て面６ｂに押し当て、当該下連結部材６に強く接合するようにしている。
【００３２】
次に、脚ベースＢについて説明する。
【００３３】
このものは、上述したように前記下連結部材６と一体成形されたアルミダイキャスト製のもので、同図に示すように、下連結部材６の内方端部、より具体的には前記第２押し当て面６ｂよりも内方から前後に突出させた同一形状をなす一対のベース要素Ｂ１と、これらベース要素Ｂ１の先端部下面に取り付けた接地部たるアジャスタＢ２とを具備してなる。したがって、脚ベースＢからみれば、前記下連結部材６は外方に突出することとなり、その突出した部位に縦フレーム２が取り付けられることとなる。なお、その突出寸法は、後述する机Ｄのベース幅寸法よりも大きくなるようにしている。
【００３４】
しかして本実施形態においては、図５〜図７等に示すように、この枠構造体Ｗを構成する縦フレーム２に取付部を設け、この取付部を利用してパネルＰ、ガラス板Ｇ、棚板部材Ｓ等のオプション部材を取り外し可能に取り付けられるように構成している。
【００３５】
詳述すれば、前記取付部は、前記内フレーム要素２１の前壁２１２及び後壁２１３にそれぞれ形成した前側外取付部及び後側外取付部と、前記縦フレーム２要素の対向壁２１１に取り付けられるブラケットに形成した前側内取付部及び後側内取付部とからなる。ここで、請求の範囲記載の「前側取付部」が前側外取付部及び前側内取付部に相当し、「後側取付部」が後側外取付部及び後側内取付部に相当する。また、請求の範囲記載の「外取付部」が前側外取付部及び後側外取付部に相当し、「内取付部」が前側内取付部及び後側内取付部に相当する。
【００３６】
前記前側外取付部及び後側外取付部は、図３、図５〜図７等に示すように、内フレーム要素２１の前壁２１２及び後壁２１３に前後に貫通させた複数のフック孔Ｆ１、Ｆ２であり、これらは上下に一列、複数並べ設けてある。本実施形態では、これらフック孔Ｆ１、Ｆ２の略外半部が外フレーム要素２２によって覆い隠され、その有効幅寸法が小さくなるようにしてある。これは、フックを引掛けた際のがたを軽減するとともに、フック孔Ｆ１、Ｆ２を形成する外側端面を見えにくくして外観を向上させるためである。
【００３７】
そして、これら前側外取付部及び後側外取付部たるフック孔Ｆ１、Ｆ２は、棚板Ｓ１とこの棚板Ｓ１の後側に一体に設けたフック爪ＦＴ１とを有した棚板部材Ｓや、後側にフック爪ＦＴ２を有した棚板支持ブラケットＳＢを、この縦フレーム２に取り付けるために主として用いられる。なお、本実施形態では、これらフック孔Ｆ１、Ｆ２を利用してこの縦フレーム２の前後にそれぞれ別個に棚板部材Ｓ等を引掛けて取り付けるだけでなく、図７に示すように、縦フレーム２の前後に棚板支持ブラケットＳＢをそれぞれ同一高さとなるように引掛けて当該縦フレーム２の前後に跨る共有領域を設定しておき、これら棚板支持ブラケットＳＢに支持させて、縦フレーム２の前後に跨るように共通オプション部材たる一枚の棚板ＳＳを配置できるようにもしてある。
【００３８】
一方、前側内取付部及び後側内取付部を形成するブラケットは、取り付けるオプション部材（具体的にはパネルＰとガラス板Ｇ）によって形状が異なる。
【００３９】
本実施形態においてパネルＰを取り付けるためのパネル用ブラケットＰＢは、図５に示すように、前記内フレーム要素２１の対向壁２１１に略密接して取り付けられる取付壁ＰＢ１と、この取付壁ＰＢ１の前縁及び後縁からそれぞれ屈曲させて内方に延ばしたブラケット前壁ＰＢ２及びブラケット後壁ＰＢ３とからなる横断面コの字状をなすものである。なお、本実施形態では、前記対向壁２１１にはフック孔Ｆ３が上下に複数並べ設けてある一方、前記取付壁ＰＢ１には外方に突出するフック爪ＦＴ３が設けてあり、いずれかのフック孔Ｆ３にフック爪ＦＴ３を係脱することにより、前記パネル用ブラケットＰＢを内フレーム要素２１の内方に上下に位置変更可能に取り付けられるようにしているが、これをねじ止めしてもよいし、例えば樹脂製の係脱部材を用いて取り付けるようにしてもよい。
【００４０】
そして、このブラケット前壁ＰＢ２及びブラケット後壁ＰＢ３に前側内取付部及び後側内取付部たる複数のフック孔Ｆ４、Ｆ５を前後に貫通させている。これらフック孔Ｆ４、Ｆ５は上下に２列並び設けてなるもので、裏側に突出するフック爪ＦＴ５を有してなるパネルＰを前後から着脱可能に取り付けるためのものである。
【００４１】
また、ガラス板Ｇを取り付けるためのガラス板用ブラケットＧＢは、図６に示すように、前記内フレーム要素２１の対向壁２１１に略密接して取り付けられる取付壁ＧＢ１と、この取付壁ＧＢ１の反対向壁２１１側を向く面における前縁部及び後縁部にそれぞれ一対ずつ、ガラス板のＧの略厚み分だけ前後に離間させて設けたリブＬ１、Ｌ２と、これらリブＬ１、Ｌ２の下端部に形成した底壁ＧＢ２とを具備し、前記リブＬ１、Ｌ２により、上下に延びる前ガラス板挿入溝Ｍ１及び後ガラス板挿入溝Ｍ２が形成されるようにしたものである。そして、これらガラス板挿入溝Ｍ１、Ｍ２にガラス板Ｇを上方から挿入して保持できるようにしてある。しかして、前記前ガラス板挿入溝Ｍ１及び後ガラス板挿入溝Ｍ２がそれぞれ前側内取付部及び後側内取付部に相当する。
【００４２】
しかして、このような内取付部たるフック孔ＦＴ３、ＦＴ４やガラス板挿入溝Ｍ１、Ｍ２を利用して取り付けたパネルＰやガラス板Ｇ等のオプション部材は、前記外取付部たるフック孔Ｆ１、Ｆ２の開口を閉塞しないように設定してあり、図８、図９に示すように、縦フレーム２に取り付けたこれらパネルＰ等と正面視重合する高さ位置に、前記フック孔Ｆ１、Ｆ２を利用して棚板部材Ｓ等を取り付け得るように構成してある。
【００４３】
このように構成した枠構造体Ｗの使用態様の一例について以下に説明する。
【００４４】
この枠構造体Ｗは、例えば図１０に示すように、その前後に一対の机Ｄをそれぞれ反使用端を対向させた姿勢で配置して、好適に用いることができる。
【００４５】
ここで簡単にこの机Ｄについて説明しておくと、このものは、天板Ｄ１と、この天板Ｄ１の下面両側縁部を支持する一対の脚体Ｄ２とを備えたものであり、前記枠構造体Ｗの最大幅寸法（縦フレーム２の外側面間寸法）と略同一の最大幅寸法（天板Ｄ１の幅寸法）を有する。そしてその脚体Ｄ２は、前後に延びるベースＤ２１と、このベースＤ２１の中央から起立する支柱Ｄ２２とを備えた側面視略対称形をなすものである。
【００４６】
前記ベースＤ２１間の距離は、図１１に示すように、これら各ベースＤ２１が、枠構造体Ｗの各脚ベースＢの外側直近に配置可能なように、前記脚ベースＢ間の距離よりも大きく設定してあって、天板Ｄ１の反使用端を枠構造体Ｗの縦フレーム２に近接又は当接するまで接近させることができるようにしてある。
【００４７】
しかして、このような態様で使用した場合に、枠構造体Ｗには全く横架材が設けられていないので、横架材の存在を気にせず、種々のオプション部材をどの位置にも自在に取り付けることができる。
【００４８】
さらに、例えばパネルＰを取り付ければ、その位置によってデスクトップパネルや幕板の機能を果たさせることができるうえ、前後から取り付けたパネルＰ間を配線空間として用いることができる。この場合にも横架材が存在しないことから、パネル間の配線に制約がなくなり使い勝手を大きく向上させることができる。
【００４９】
また、この枠構造体Ｗには、前後から全く同じように、あるいは対称的にオプション部材を取り付けられるので、この枠構造体Ｗの前後両側から用いることができ、オフィス空間の共有化や効率化促進に大きく寄与し得る。さらに、前後から共通して用いることができるように、この枠構造体Ｗの前後に跨る棚板等の共通オプション部材を取り付けることができるようにしている点も、オフィス空間の共有化や効率化促進に寄与する大きな一因となる。
【００５０】
オプション部材を取り付けない空間を設けることにより、対向する机Ｄの使用者間での意志疎通等を有効に図る構成にすることもできる。特に本例では、枠構造体Ｗの内方、机Ｄの天板Ｄ１より上の領域を汎用領域Ｒとして設定している。この汎用領域Ｒには、横架材を設けていない。よって、汎用領域Ｒにオプション部材を取り付けないこととすれば、対向する机Ｄの使用者同士がスムーズに意志疎通等を図ることが可能となる。
【００５１】
もちろん、この枠構造体Ｗは、パネルＰを取り付けたり棚板Ｓ１を取り付けたりして間仕切りや棚装置等の単独の家具として用いることもできるし、単一の机Ｄの反使用端側に配置したり、机の横側にも配置したりすることもできる。机Ｄの天板Ｄ１より上の汎用領域ＲにパネルＰ、棚板Ｓ１その他のオプション部材を適宜に取り付ければ、机Ｄと枠構造体Ｗとの相乗効果により使用者にとってより使い勝手のよい家具となる。
【００５２】
加えて、汎用領域Ｒに、共通オプション部材を配置することができる。即ち、図１０に示しているように、机Ｄの天板Ｄ１より上に共有領域を設定し、縦フレーム２の前後に跨るように共通オプション部材たる一枚の棚板ＳＳを配置することができる。但し、机Ｄの天板Ｄ１より下に共有領域を設定して共通オプション部材を配置することを妨げない。
【００５３】
総じて言えば、この枠構造体Ｗは、それ自身は単に枠体状をなすものであって、固定的な機能を有さず、種々のオプション部材を取り付けてはじめてその取り付けたオプション部材に応じた機能を発揮するので、オフィスレイアウトやそれに応じて生じる用途のダイナミックな変更等に無理なく柔軟に対応できる。
【００５４】
そしてかかる効果は、机Ｄと対にして使用した場合に特に顕著となる。すなわち、枠構造体Ｗの機能の多様性から、机Ｄにはその本来有する機能、すなわち天板Ｄ１の上でものを書いたり、天板Ｄ１の上に必要な書類を拡げるといった機能のみを付与すればよくなり、机Ｄ自身をシンプルなものにできる。この結果、机Ｄを移動させやすくなり、オフィスレイアウトの自在かつ柔軟な変更をより無理なく行えることとなるからである。
【００５５】
なお、本発明は上記実施形態に限られるものではない。
【００５６】
例えば、枠構造体には、机の天板より下方（若しくは、汎用領域外）にのみ横架材を設けてもよい。このようにすれば、前記実施形態と略同様の効果を奏し得るうえ、枠構造体の剛性を無理なく向上させることができる。
【００５７】
枠構造体の高さ寸法やその他の構成、あるいは、取り付け得るオプション部材の種類等、種々の変形が可能であることは言うまでもない。もちろん、枠構造体の構成要素である縦フレーム等も、上記実施形態におけるものとは異なる態様に構成することが可能である。以降、本発明に係る枠構造体を構成する縦フレームの変形例に関して述べる。
【００５８】
図１２及び図１３に示す縦フレーム２Ｘは、上記実施形態における縦フレーム２の代替として使用し得るものである。該縦フレーム２Ｘは、上下方向に延びるスチール製の内フレーム要素２Ｘ１と、この内フレーム要素２Ｘ１に外側から抱く姿勢で固定されるアルミ押出成形材である外フレーム要素２Ｘ２とからなる。内フレーム要素２Ｘ１は、内方、すなわちもう一方の縦フレーム側を向く対向面を有した対向壁２Ｘ１１と、この対向壁２Ｘ１１の前後各縁部から外方へ延びる前壁２Ｘ１２及び後壁２Ｘ１３を有するものである。前記対向壁２Ｘ１１には、内向きに開口し上下に亘って延びる溝２Ｘ１１ａを形成している。なおかつ、内フレーム要素２Ｘ１の外側面、すなわち外フレーム要素２Ｘ２側においても、外向きの開口２Ｘ１４を上下に亘って設け、この開口２Ｘ１４の底面の奥行き方向中央部を内方に凹入させて、外向きに開口し上下に亘って延びる溝２Ｘ１４ａを形成している。図示例では、横断面視略凹字形をなし内向きに開口する溝２Ｘ１１ａの底部と、横断面視略凸字形をなし外向きに開口する溝２Ｘ１４ａの底部とが当たって接するようにしている。他方、外フレーム要素２Ｘ２は、前後方向に長径方向を一致させた平面視小判形をなす中空部材であって、その前後寸法（長径寸法）を前記内フレーム要素２Ｘ１の前後寸法よりも大きく設定したものである。外フレーム要素２Ｘ２の内側面には、前記内フレーム要素２Ｘ１の前後寸法と略等しい開口幅寸法を有し上下に亘って延びる嵌合溝２Ｘ２１が開口させてある。この嵌合溝２Ｘ２１の奥行き方向中央部には、該嵌合溝２Ｘ２１の開口面よりも内フレーム要素２Ｘ１側へ突出させた突条部２Ｘ２２が形成してある。そして、嵌合溝２Ｘ２１に内フレーム要素２Ｘ１を嵌め入れ、前記突条部２Ｘ２２を前記外側面の開口２Ｘ１４に挿入し突条部２Ｘ２２の先端部位を前記溝２Ｘ１４ａの底面に突き当てた状態で、これらをねじＢＢ１により上下複数箇所で固定するようにしている。なお、この固定状態では、内フレーム要素２Ｘ１の略外半部が前記嵌合溝２Ｘ２１内に嵌入し、略内半部は前記縦フレーム２Ｘの内側面からもう一方の縦フレーム側に向かって突出した状態となる。
【００５９】
しかして、当該縦フレーム２Ｘに取付部を設け、この取付部を利用してパネル、棚板部材その他各種のオプション部材を着脱可能に取り付けられるように構成している。詳述すると、前記取付部は、前記内フレーム要素２Ｘ１の前壁２Ｘ１２に形成した前側外取付部、前側内取付部、並びに後壁２Ｘ１３に形成した後側外取付部、後側内取付部からなる。図１２に示しているように、前側外取付部及び後側外取付部は、内フレーム要素２Ｘ１の前壁２Ｘ１２及び後壁２Ｘ１３に前後に貫通させた複数のフック孔Ｆ６、Ｆ７であり、これらは上下に一列、複数並べ設けてある。因みに、フック孔Ｆ６、Ｆ７は、その外方の縁部が外フレーム要素２Ｘ２の内側面に近接するように位置づけ、該フック孔Ｆ６、Ｆ７を形成する外側端面を目立たなくして外観を向上させている。そして、上記実施形態と同様に、前側外取付部及び後側外取付部たるフック孔Ｆ６、Ｆ７は、棚板Ｓ１とこの棚板Ｓ１の後側に一体に設けたフック爪ＦＴ１とを有した棚板部材Ｓや、後側にフック爪ＦＴ２を有した棚板支持ブラケットＳＢを、該縦フレーム２Ｘに取り付けるために用いることができる。もちろん、これらフック孔Ｆ６、Ｆ７を利用して、縦フレーム２Ｘの前後に図７に示しているような棚板支持ブラケットＳＢをそれぞれ同一高さとなるように引掛けて当該縦フレーム２Ｘの前後に跨る共有領域を設定し、これら棚板支持ブラケットＳＢに支持させて縦フレーム２Ｘの前後に跨るように共通オプション部材たる一枚の棚板ＳＳを配置することも可能である。
【００６０】
前側内取付部及び後側内取付部もまた、内フレーム要素２Ｘ１の前壁２Ｘ１２及び後壁２Ｘ１３に前後に貫通させた複数のフック孔Ｆ８、Ｆ９であり、これらは前記フック孔Ｆ６、Ｆ７よりも内側に位置づけ、上下に間欠的に設けてある。そして、前側内取付部及び後側内取付部たる複数のフック孔Ｆ８、Ｆ９を利用して、例えば裏側に突出するフック爪を有してなるパネルを前後から着脱可能に取り付けることができる。このとき、内取付部たるフック孔ＦＴ８、ＦＴ９やこれらフック孔ＦＴ８、ＦＴ９を利用して取り付けるパネル等のオプション部材は、前記外取付部たるフック孔Ｆ６、Ｆ７の開口を閉塞しないように設定しておくことが望ましく、フック孔ＦＴ８、ＦＴ９を介して縦フレーム２Ｘに取り付けたパネル等と正面視重合する高さ位置に、前記フック孔Ｆ６、Ｆ７を利用して棚板部材Ｓ等を取り付け得るように構成することが好ましい。
【００６１】
以上に述べた縦フレーム２Ｘの特長としては、内フレーム要素２Ｘ１の巾方向寸法を大きくし、かつ折曲箇所を増やしており、剛性をより高めたものとなっている、外取付部と内取付部とをともに内フレーム要素２Ｘ１に設けており、上記実施形態におけるブラケットＰＢのような別の部材を介在させる必要がない、等を挙げることができる。
【００６２】
【発明の効果】
以上に詳述したように本発明によれば、それ自身は単に枠体状をなすものであって、固定的な機能を有さず、種々のオプション部材を取り付けてはじめてその取り付けたオプション部材に応じた機能を発揮し、しかも自立性を有するので、オフィスレイアウトやそれに応じて生じる用途のダイナミックな変更等に無理なく柔軟に対応できる。また、机の天板より上方には、横架材が全く設けられていないので、その空間を自由に使用することができるうえ、例えばこの枠構造体の前後に机を対向配置して前後から使用するなど、オフィス空間の共有化を促進することが可能になる。
【図面の簡単な説明】
【図１】本発明の一実施形態における枠構造体を示す全体斜視図。
【図２】同実施形態における枠構造体を示す全体正面図。
【図３】同実施形態における上フレームと縦フレームの連結構造を示す部分分解斜視図。
【図４】同実施形態における下フレームと縦フレームの連結構造を示す部分分解斜視図。
【図５】同実施形態におけるパネル及び棚板部材の取付構造を示す部分分解斜視図。
【図６】同実施形態におけるガラス板及び棚板部材の取付構造を示す部分分解斜視図。
【図７】同実施形態における棚板の取付構造を示す部分分解斜視図。
【図８】同実施形態における枠構造体にオプション部材を装着した状態を示す全体斜視図。
【図９】同実施形態における枠構造体にオプション部材を装着した状態を示す全体正面図。
【図１０】同実施形態における枠構造体の使用態様の一例を示す斜視図。
【図１１】同実施形態における枠構造体の使用態様の一例を示す正面図。
【図１２】縦フレームの変形例を示す要部斜視図。
【図１３】同変形例を示す水平断面図。
【符号の説明】
Ｗ・・・家具（枠構造体）
Ｒ・・・汎用領域
２、２Ｘ・・・縦フレーム
３・・・上フレーム
４・・・下フレーム
Ｐ・・・オプション部材（パネル）
Ｓ・・・オプション部材（棚板部材）
ＳＳ・・・共通オプション部材（棚板）
Ｄ・・・机
Ｄ１・・・天板
Ｆ１、Ｆ４、Ｍ１、Ｆ６、Ｆ８・・・前側取付部
Ｆ２、Ｆ５、Ｍ２、Ｆ７、Ｆ９・・・後側取付部
Ｆ１、Ｆ２、Ｆ６、Ｆ７・・・外取付部
Ｆ４、Ｆ５、Ｍ１、Ｍ２、Ｆ８、Ｆ９・・・内取付部
ＰＢ・・・パネル用ブラケット（ブラケット）
ＧＢ・・・ガラス板用ブラケット（ブラケット）
【図１】
0004371626.tif 000002
【図２】
0004371626.tif 000003
【図３】
0004371626.tif 000004
【図４】
0004371626.tif 000005
【図５】
0004371626.tif 000006
【図６】
0004371626.tif 000007
【図７】
0004371626.tif 000008
【図８】
0004371626.tif 000009
【図９】
0004371626.tif 000010
【図１０】
0004371626.tif 000011
【図１１】
0004371626.tif 000012
【図１２】
0004371626.tif 000013
【図１３】
0004371626.tif 000014